(57)【要約】    【課題】  装置の外周部に有する、外部から操作するための操作部を、雨等に濡れる場所での使用においても長期にわたり効果的に防水することができる防水構造及びその防水構造を備えた装置の提供。    【解決手段】  保管庫Ａの扉体Ｄに凹部Ｎを設ける。凹部開口部Ｎｂのうち横長間隙部Ｎｓ及び下端開放部Ｎｔを除く部分を覆うように閉じる回動開閉可能な蓋体Ｌを設ける。外部から扉体Ｄの施錠・解錠操作を行うダイヤル部Ｍ１及び扉体Ｄの開閉のための回動操作を行う摘み部Ｍ２からなる操作部Ｍを、凹部Ｎの凹底部Ｎａに設ける。蓋体Ｌにおける蓋板部Ｌｂの裏側に、閉蓋状態において凹部Ｎ内に位置して凹底部Ｎａにおける操作部Ｍの上方部、両側方部及び下方部を囲む囲壁状部Ｌａを設ける。【選択図】      図４
2019150407.tif 000002
【特許請求の範囲】
【請求項１】
外部から操作するための操作部を外周部に有する装置における前記操作部用の防水構造であって、
前記外周部に、内方に窪むよう形成された凹部と、
前記凹部のうち外方に開口する部分を全部又は部分的に覆うように閉じる開閉可能な蓋体を有し、
前記操作部が、前記凹部の凹底部に設けられ、
前記蓋体は、閉蓋状態における裏側に、閉蓋状態において前記凹部内に位置して前記凹底部における前記操作部の上方部、両側方部及び下方部を囲む囲壁状部を有することを特徴とする防水構造。
【請求項２】
外部から操作するための操作部を外周部に有する装置であって、
前記外周部に、内方に窪むよう形成された凹部と、
前記凹部のうち外方に開口する部分を全部又は部分的に覆うように閉じる開閉可能な蓋体を有し、
前記操作部が、前記凹部の凹底部に設けられ、
前記蓋体は、閉蓋状態における裏側に、閉蓋状態において前記凹部内に位置して前記凹底部における前記操作部の上方部、両側方部及び下方部を囲む囲壁状部を有することを特徴とする装置。
【請求項３】
上記凹部は、蓋体が閉蓋状態である場合を含めて、凹部内に浸入した水系液体が自然に外部へ流出し得る流出部を有するものである請求項２記載の装置。
【請求項４】
上記蓋体が閉蓋状態である場合における囲壁状部内の下端部に、閉蓋状態の囲壁状部内に浸入して囲壁状部内の下端部に至った水系液体が囲壁状部内から下方外部へ流出し得る小孔又は間隙を有する請求項２又は３記載の装置。
【請求項５】
上記水系液体が閉蓋状態の囲壁状部内から下方外部へ流出し得る小孔又は間隙を、蓋体が閉蓋状態である場合における囲壁状部内の下端部の前端部に有する請求項４記載の装置。
【請求項６】
上記水系液体が、閉蓋状態の囲壁状部内の下端部の前端部から囲壁状部の前下方の蓋体裏側に流出するものである請求項５記載の装置。
【請求項７】
蓋体が閉蓋状態である場合における囲壁状部内の操作部よりも上方位置に、操作部を覆い、囲壁状部内の上方部に浸入した水系液体を受けて前方へ流下する傾斜又は側方へ流下する傾斜を上面側に有する内部庇状部を有する請求項２乃至６の何れか１項に記載の装置。
【請求項８】
蓋体が閉蓋状態である場合に、水系液体がその内部庇状部上から蓋体の囲壁状部で囲まれた裏面部又は囲壁状部の内側部を伝って流下するように内部庇状部の周縁部に小孔又は間隙を有する請求項７記載の装置。
【請求項９】
上記外周部の一部を構成する扉体と、その扉体が閉じた状態を保持し得る閉扉状態保持部を有し、
外部から操作するための上記操作部として、前記閉扉状態保持部の閉扉状態保持を解除するための操作を行うための操作部を前記扉体又はその他の外周部に有するものである請求項２乃至８の何れか１項に記載の装置。
【請求項１０】
対象物を収容する内部空間である保管部を備えた保管庫本体と、その保管部に前記対象物を出し入れするための開口部を有し、上記扉体が、前記開口部を開閉し得るものである請求項９記載の装置。
【発明の詳細な説明】
【技術分野】
【０００１】
本発明は、外部から操作するための操作部を外周部に有する装置における防水構造及びその防水構造を備えた装置に関する。
【背景技術】
【０００２】
特開２００２−８５２４６号公報には、屋外にも設置できるタイプの宅配ボックスの発明が開示されている。
【０００３】
この宅配ボックスにおいては、扉の施錠・解錠を行なう暗証番号式の電子錠７の背面周囲と、操作入力部１２の背面周囲と、表示部１１の背面周囲に、ゴムシール等による防水シールを施し、外部から電子錠７の内部への雨水の浸入を防止することにより、屋外設置に対応するものとしている。
【０００４】
しかしながら、防水シールは長期使用、特に屋外での長期使用により損傷を受けたり劣化することを免れない。
【先行技術文献】
【特許文献】
【０００５】
【特許文献１】特開２００２−８５２４６号公報
【発明の概要】
【発明が解決しようとする課題】
【０００６】
本発明は、装置の外周部に有する、外部から操作するための操作部を、雨等に濡れる場所での使用においても長期にわたり効果的に防水することができる防水構造及びその防水構造を備えた装置を提供することを目的とする。
【課題を解決するための手段】
【０００７】
本発明の防水構造及び装置は、次のように表すことができる。
【０００８】
(1) 外部から操作するための操作部を外周部に有する装置における前記操作部用の防水構造であって、
前記外周部に、内方に窪むよう形成された凹部と、
前記凹部のうち外方に開口する部分を全部又は部分的に覆うように閉じる開閉可能な蓋体を有し、
前記操作部が、前記凹部の凹底部に設けられ、
前記蓋体は、閉蓋状態における裏側に、閉蓋状態において前記凹部内に位置して前記凹底部における前記操作部の上方部、両側方部及び下方部を囲む囲壁状部を有することを特徴とする防水構造。
【０００９】
(2) 外部から操作するための操作部を外周部に有する装置であって、
前記外周部に、内方に窪むよう形成された凹部と、
前記凹部のうち外方に開口する部分を全部又は部分的に覆うように閉じる開閉可能な蓋体を有し、
前記操作部が、前記凹部の凹底部に設けられ、
前記蓋体は、閉蓋状態における裏側に、閉蓋状態において前記凹部内に位置して前記凹底部における前記操作部の上方部、両側方部及び下方部を囲む囲壁状部を有することを特徴とする装置。
【００１０】
(3) 上記凹部は、蓋体が閉蓋状態である場合を含めて、凹部内に浸入した水系液体が自然に外部へ流出し得る流出部を有するものである上記(2)記載の装置。
【００１１】
(4) 上記蓋体が閉蓋状態である場合における囲壁状部内の下端部に、閉蓋状態の囲壁状部内に浸入して囲壁状部内の下端部に至った水系液体が囲壁状部内から下方外部へ流出し得る小孔又は間隙を有する上記(2)又は(3)記載の装置。
【００１２】
(5) 上記水系液体が閉蓋状態の囲壁状部内から下方外部へ流出し得る小孔又は間隙を、蓋体が閉蓋状態である場合における囲壁状部内の下端部の前端部に有する上記(4)記載の装置。
【００１３】
(6) 上記水系液体が、閉蓋状態の囲壁状部内の下端部の前端部から囲壁状部の前下方の蓋体裏側に流出するものである上記(5)記載の装置。
【００１４】
(7) 蓋体が閉蓋状態である場合における囲壁状部内の操作部よりも上方位置に、操作部を覆い、囲壁状部内の上方部に浸入した水系液体を受けて前方へ流下する傾斜又は側方へ流下する傾斜を上面側に有する内部庇状部を有する上記(2)乃至(6)の何れか１項に記載の装置。
【００１５】
(8) 蓋体が閉蓋状態である場合に、水系液体がその内部庇状部上から蓋体の囲壁状部で囲まれた裏面部又は囲壁状部の内側部を伝って流下するように内部庇状部の周縁部に小孔又は間隙を有する上記(7)記載の装置。
【００１６】
(9) 上記外周部の一部を構成する扉体と、その扉体が閉じた状態を保持し得る閉扉状態保持部を有し、
外部から操作するための上記操作部として、前記閉扉状態保持部の閉扉状態保持を解除するための操作を行うための操作部を前記扉体又はその他の外周部に有するものである上記(2)乃至(8)の何れか１項に記載の装置。
【００１７】
(10) 対象物を収容する内部空間である保管部を備えた保管庫本体と、その保管部に前記対象物を出し入れするための開口部を有し、上記扉体が、前記開口部を開閉し得るものである上記(9)記載の装置。
【発明の効果】
【００１８】
本発明の防水構造及び装置においては、装置の外周部に内方に窪むよう形成された凹部のうち外方に開口する部分を全部又は部分的に覆うように閉じる開閉可能な蓋体を有し、その蓋体が閉蓋状態である場合に、蓋体の裏側に有する囲壁状部が前記凹部内に位置し、その凹部の凹底部における操作部の上方部、両側方部及び下方部を前記囲壁状部が囲むことにより、装置の外周部に有する、外部から操作するための操作部を、雨等に濡れる場所での使用においても長期にわたり効果的に防水することができる。
【図面の簡単な説明】
【００１９】
【図１】保管部に配送物が収容された保管庫の開扉状態の前方側斜視図である。
【図２】閉扉状態の保管庫の前方側斜視図である。
【図３】蓋体を閉じた状態の部分拡大斜視図である。
【図４】蓋体を開いた状態の部分拡大斜視図である。
【図５】蓋体を閉じた状態の前方縦断部分拡大斜視図である。
【図６】蓋体を閉じた状態の後方縦断部分拡大斜視図である。
【図７】蓋体を開いた状態の縦断部分拡大斜視図である。
【発明を実施するための形態】
【００２０】
[1] 本発明の実施の形態を、図面を参照しつつ説明する。
【００２１】
図面は何れも本発明の防水構造を備えた本発明の装置の実施の形態の一例としての保管庫に関するものである。
【００２２】
(1) この保管庫Ａは、対象物を収容する内部空間である保管部Ｓに宅配荷物等の配送物Ｖを配送業者等が預け入れて一時的に保管し、配送物Ｖの受取人が必要時に取り出すために主に使用されるものである。
【００２３】
(2) この保管庫Ａは、外形が略直方体形状をなし、保管部Ｓを備えた保管庫本体Ｂと、保管部Ｓに前記対象物を出し入れするために前方に開口する縦長長方形状の開口部Ｐと、その開口部Ｐを開閉し得る扉体Ｄを有する。
【００２４】
保管庫Ａは、外部から施錠・解錠及び扉体Ｄの開閉のための操作を行う操作部Ｍを、保管庫Ａの外周部の一部を構成する扉体Ｄに有する。扉体Ｄには、操作部Ｍ用の防水構造を有する。
【００２５】
(3) 保管庫Ａにおける操作部Ｍ用の防水構造は、扉体Ｄの表側部Ｄａに、内方に窪むよう形成された凹部Ｎと、この凹部Ｎのうち外方に開口する部分である凹部開口部Ｎｂの大部分を覆うように閉じる開閉可能な蓋体Ｌを有する。操作部Ｍは、凹部Ｎの凹底部Ｎａに設けられており、外部から扉体Ｄの施錠・解錠操作を行うダイヤル部Ｍ１と、扉体Ｄの開閉のために回動操作を行う摘み部Ｍ２からなる。摘み部Ｍ２は、扉体側の係合部Ｅを回動操作することにより、保管庫本体Ｂ側の対応箇所と係合させて閉扉維持状態とし又はその係合を解除させて開扉可能とするものである。係合部Ｅが保管庫本体Ｂ側の対応箇所と係合した閉扉維持状態において、ダイヤル部Ｍ１により施錠状態とすると、摘み部Ｍ２による係合解除操作ができない状態となり、閉扉状態が保持される。蓋体Ｌは、閉蓋状態における裏側に、閉蓋状態において凹部Ｎ内に位置して凹底部Ｎａにおける操作部Ｍの上方部、両側方部及び下方部を囲む囲壁状部Ｌａを有する。
【００２６】
(3-1) 凹部Ｎは、扉体Ｄにおける垂直板状をなす表側部Ｄａのほぼ水平方向内方に窪むよう形成されている。
【００２７】
凹部Ｎの正面視の形状は縦長長方形状である。凹部Ｎの内方部である凹底部Ｎａは、凹部Ｎが設けられている外周面である扉体Ｄの表側部Ｄａに対し平行状をなす縦長長方形状の垂直面状をなす。
【００２８】
凹部Ｎのうち外方に開口する部分（凹部Ｎが設けられている表側部Ｄａにおける凹部開口部Ｎｂ）は、凹部Ｎのほぼ上半部を除く部分であり、凹部開口部Ｎｂの正面視の形状は縦長長方形状である。凹部開口部Ｎｂの面積は、凹底部Ｎａの面積の半分程度である。凹部Ｎのほぼ上半部は表側部Ｄａにより覆われている。
【００２９】
凹底部Ｎａのほぼ下半部である凹部開口部Ｎｂに臨む部分の上下方向中間位置には、外部から凹部開口部Ｎｂを通じて操作するための操作部Ｍが設けられている。
【００３０】
凹部Ｎの内周部（凹部Ｎのうち、凹部開口部Ｎｂ［及び表側部Ｄａ］と凹底部Ｎａの間の空間を囲む内周部）のうち、凹部上面Ｎ１及び両凹部側面Ｎ２・Ｎ２は、凹部Ｎが設けられている表側部Ｄａ及び凹底部Ｎａに対し垂直な平面状をなし、凹部下面Ｎ３は、前方に向かって（すなわち凹部開口部Ｎｂに向かって）下降傾斜する傾斜平面状をなす。
【００３１】
凹部下面Ｎ３は、蓋体Ｌが閉蓋状態である場合を含めて、凹部Ｎ内に浸入した水系液体（水又は各種水溶液若しくは水系分散液等）が自然に外部へ流出し得る流出部として機能する。
【００３２】
(3-2) 蓋体Ｌは、開閉可能で、凹部開口部Ｎｂのうち、蓋体Ｌの回動開閉に要する上端の横長間隙部Ｎｓ及び下端開放部Ｎｔを除く部分を覆うように閉じるものである。
【００３３】
蓋体Ｌは、扉体Ｄに対し閉じた状態からヒンジ体Ｈを介して上方に開扉するように開閉回動する。
【００３４】
蓋体Ｌを開閉のために回動支持するヒンジ体Ｈのうち、平板状をなす一方の回動片Ｈａは、回動軸部Ｈｘの回動軸線が下方側において表側部Ｄａに対し平行状に水平状をなすように凹部Ｎのうち上半部における表側部Ｄａの裏側に固定されている。回動軸部Ｈｘは、雨等に濡れる場所での使用におけるメンテナンスの必要性の低減又は不要化等の上で、雨等にほぼ濡れることのない凹部Ｎのうち表側部Ｄａにより覆われた上半部における表側部Ｄａの裏側に位置するものとしている。なお、表側部Ｄａのうち凹部開口部Ｎｂの上縁に臨む部分は内方に突出している。
【００３５】
ヒンジ体Ｈの他方の平板状の回動片Ｈｂは、湾曲板状アーム部Ｈｂ１を介して蓋体Ｌの裏側（閉蓋状態）の上部に連結され、これにより、蓋体Ｌが扉体Ｄに対し回動支持されている。
【００３６】
(3-3) 蓋体Ｌは、蓋板部Ｌｂと、閉蓋状態における蓋板部Ｌｂの裏側（凹底部Ｎａに相対する側）に、閉蓋状態において前記凹部Ｎ内に位置して凹底部Ｎａにおける操作部Ｍの上方部、両側方部及び下方部を囲む囲壁状部Ｌａを有してなる。
【００３７】
蓋板部Ｌｂは、閉蓋状態において、扉体Ｄの表側部Ｄａの前側に両側端部の裏側が接するようにその表側部Ｄａと平行状に位置する。
【００３８】
囲壁状部Ｌａは、閉蓋状態において、背面視で縦長長方形状をなし、上端板状部Ｌ１、一対の側板状部Ｌ２・Ｌ２、及び、下端板状部Ｌ３からなる。
【００３９】
上端板状部Ｌ１は、水平状をなし、後端部は上向きに垂直に折曲されて凹底部Ｎａに近接する。上端板状部Ｌ１の前後方向中間位置には、湾曲板状アーム部Ｈｂ１の中間部が挿通した横長透孔Ｌｐを有する。
【００４０】
各側板状部Ｌ２は、蓋板部Ｌｂに対し垂直状で上端板状部Ｌ１と同等の奥行きの垂直板状をなす。
【００４１】
下端板状部Ｌ３は、蓋板部Ｌｂの下端よりも上方に位置して水平状をなし、後端部には上向きの垂直折曲部Ｌｓを有する。垂直折曲部Ｌｓの裏側には薄板状の閉蓋用永久磁石材Ｇａが固定されており、閉蓋状態においては、閉蓋用永久磁石材Ｇａが、鉄系材料製の凹底部Ｎａに磁気的に吸着して閉蓋状態が維持される。また、閉蓋状態において垂直折曲部Ｌｓの両側縁部は各側板状部Ｌ２との間に間隙を有する。
【００４２】
下端板状部Ｌ３の前端部の左右には、一対の下端小孔Ｌｗを有し、下端小孔Ｌｗは、囲壁状部Ｌａの下端の下側における蓋板部Ｌｂの裏面部にほぼ接するように開口する。閉蓋状態の囲壁状部Ｌａ内に浸入して囲壁状部Ｌａ内の下端部に至った水系液体（特に、蓋板部Ｌｂの裏側を伝って流下した水系液体）が、下端小孔Ｌｗを通じて下端板状部Ｌ３の前下方（囲壁状部Ｌａの下端の下側）の蓋板部Ｌｂの裏側に流出し、蓋板部Ｌｂの裏側を伝って下方に流れて凹部Ｎから流出し得るようするものである。下端小孔Ｌｗを通じて外部から水等が囲壁状部Ｌａ内に浸入することは、囲壁状部Ｌａの下側の蓋板部Ｌｂにより防がれる。
【００４３】
また、閉蓋状態の囲壁状部Ｌａ内に浸入して囲壁状部Ｌａ内の下端部に至った水系液体は、垂直折曲部Ｌｓの両側縁部と各側板状部Ｌ２との間の間隙を通じて下方へ流下し得、凹部下面Ｎ３等を経て凹部Ｎから流出し得る。
【００４４】
(3-4) 蓋体Ｌが閉蓋状態である場合における囲壁状部Ｌａ内の操作部Ｍよりも上方位置に、操作部Ｍを覆い、囲壁状部Ｌａ内の上方部に浸入した水系液体を受けて前方へ流下する傾斜を上面側に有する内部庇状部Ｑａを有する。
【００４５】
内部庇状部Ｑａは、庇形成部材Ｑにおける、蓋板部Ｌｂの上部裏側に接合された垂直取付板部Ｑｂの下端部（閉蓋状態）に、後方（扉体Ｄ又は凹部Ｎの内方）に向かってやや上向き傾斜状に前端部が結合したものである。
【００４６】
内部庇状部Ｑａの前端部の左右及び中央にはそれぞれ庇小孔Ｑｗを有し、庇小孔Ｑｗは、内部庇状部Ｑａの下側において蓋板部Ｌｂの囲壁状部Ｌａで囲まれた裏面部にほぼ接するように開口する。蓋体Ｌが閉蓋状態である場合に、横長間隙部Ｎｓ及び上端板状部Ｌ１の横長透孔Ｌｐ等を経て囲壁状部Ｌａ内に浸入した水系液体を内部庇状部Ｑａの上面で受けて前方へ流下させ、内部庇状部Ｑａの前端部の庇小孔Ｑｗを通じて前下方に流出した水系液体が蓋板部Ｌｂの裏側のうち囲壁状部Ｌａで囲まれた部分を伝って流下し、囲壁状部Ｌａ内の下端部から囲壁状部Ｌａ外、及び凹部Ｎから流出し得るものとするものである。
【００４７】
(3-5) 蓋板部Ｌｂの前側の上端部には、閉蓋状態において縦断面三角形状に前方に突起する鉄系材料製の水平方向の突条部Ｌｍが形成され、扉体Ｄの表側部Ｄａの裏側のうち凹部開口部Ｎｂの上側の左右にそれぞれ縦長の開蓋用永久磁石材Ｇｂが設けられている。
【００４８】
蓋体Ｌを上方に回動させて開くと、閉蓋状態における突条部Ｌｍの上側傾斜面Ｌｎが表側部Ｄａに接し、開蓋用永久磁石材Ｇｂと磁気的に吸着して開蓋状態が維持される。なお、保管庫Ａは表側部Ｄａを含めて全体としてほぼ鉄系材料製であるが、表側部Ｄａの対応箇所は、前記磁気的吸着を阻害しない材料により構成されている。
【００４９】
[2] 本発明の実施の形態を、上記以外の形態を含めて更に説明する。
【００５０】
(1) 本発明の防水構造は、外部から操作するための操作部を外周部に有する装置（例えば保管庫）における前記操作部用の防水構造である。本発明の装置は、外部から操作するための操作部を外周部に有し、前記操作部用の防水構造を有する。
【００５１】
(2) 本発明の装置は、外部から操作する（例えば、扉体［開き戸、引戸を含む］を有する場合は扉体の施錠・解錠又は開閉等の操作を行う）ための操作部を外周部に有する装置である。
【００５２】
装置の外周部というのは、装置における上部と下部の間の外側の部分であり、例えば垂直状をなす外周部又は垂直状をなす部分を含む外周部を挙げることができる。より具体的には、上面及び底面が水平状をなす直方体の垂直状の四側面部（例えば前面部、背面部、両側面部）を例示することができる。
【００５３】
また、装置の外周部は、装置が外周部に扉体を有する（外周部の一部を扉体が構成する）ものとすることができるが、これに限るものではない。
【００５４】
(3) 本発明における防水構造は、
前記外周部に、内方に窪むよう形成された凹部と、この凹部のうち外方に開口する部分を全部又は部分的に覆うように閉じる開閉可能な蓋体を有し、外部から操作するための操作部が、その凹部の凹底部に設けられ、前記蓋体は、閉蓋状態における裏側に、閉蓋状態において前記凹部内に位置して前記凹底部における前記操作部の上方部、両側方部及び下方部を囲む囲壁状部を有するものである。
【００５５】
(3-1) 凹部は、装置の外周部の内方（例えばほぼ水平方向内方）に窪むよう形成されている。
【００５６】
凹部のうち外方に開口する部分（凹部が設けられている外周部における凹部開口部）の立面視の形状は、縦長長方形状若しくはその他の方形状とすることができるが、例えば、その他の多角形状、角丸長方形、楕円形、卵形のようなオーバル形や円形等の閉曲線状とすることもできる。
【００５７】
凹部の内方部である凹底部は、例えば、垂直状面や凹部が設けられている外周面に対し平行状をなす面等とすることができる。平面状とすることができるが、必ずしもこれに限るものではない。
【００５８】
凹底部は、凹部のうち外方に開口する部分（凹部開口部）の内方（例えばほぼ水平方向内方）に位置し、面積は両者同等（更に例えば形状も同等）とすることができるほか、何れか（例えば凹底部）の面積の方が大きいものとすることもできる。
【００５９】
凹底部には、外部から（通常は凹部のうち外方に開口する部分を通じて）操作するための操作部を有する。
【００６０】
凹部の内周部（凹部のうち、凹部開口部と凹底部の間の空間を囲む内周部）は、例えば、凹部が設けられている外周部に対し垂直状若しくは傾斜状をなす平面状若しくは曲面状とすることができる。例えば、凹部開口部に比し凹底部は上方に向かって拡張されており、凹底部の外周に沿って凹部の内周部が形成されているものとすることができる。
【００６１】
凹部は、蓋体が閉蓋状態である場合を含めて、凹部内に浸入した水系液体（水又は各種水溶液若しくは水系分散液等）が自然に外部へ流出し得る流出部を有するものとすることができる。このような流出部の例としては、凹部の内周部のうち下側部を、外方（凹部が設けられている外周部）に向かって下降傾斜する面（例えば平面又は曲面）としたものを挙げることができる。
【００６２】
(3-2) 蓋体は、開閉可能で、凹部のうち外方に開口する部分（凹部開口部）を全部又は部分的に覆うように閉じるものである。
【００６３】
蓋体の開閉は、例えば所定のヒンジ体を介して装置（装置が扉体を有する場合は例えば扉体）に対し所定の回動軸線のまわりに回動することにより行うものとすることができる。蓋体は、例えば、閉じた状態から上方に開扉するもの、又は、側方に開扉するものとすることができる。
【００６４】
蓋体を開閉のために回動支持するヒンジ体の回動軸部は、雨等に濡れる場所での使用におけるメンテナンスの必要性の低減又は不要化等の上で、雨等にほぼ濡れることのない装置内部（凹部のうち、凹部開口部よりも上方に位置する部分がある場合はその部分を含む）に位置するものとすることが好ましい。
【００６５】
(3-3) 蓋体は、閉蓋状態における裏側（凹底部に相対する側）に、閉蓋状態において前記凹部内に位置して前記凹底部における操作部の上方部、両側方部及び下方部を囲む囲壁状部を有する。
【００６６】
蓋体は、例えば、閉蓋状態において装置の外周部付近に（或いは、外周部付近においてその外周部と平行状に）位置する蓋板部と、その蓋板部の裏側に形成された囲壁状部を有してなるものとすることができる。
【００６７】
囲壁状部は、例えば複数の又は単一の板状材若しくは板状材の一部又はその他の材料により形成し得、閉蓋状態の立面視において、縦長長方形状若しくはその他の方形状に凹底部における操作部を含む部分を囲むものとすることができるが、例えば、その他の多角形状、角丸長方形、楕円形、卵形のようなオーバル形や円形等の閉曲線状に囲むものとすることもできる。
【００６８】
蓋体が閉蓋状態である場合における囲壁状部内の下端部（例えば囲壁状部の下端部を構成する下端板状部を有する場合は、その下端板状部）に、閉蓋状態の囲壁状部内に浸入して囲壁状部内の下端部に至った水系液体が囲壁状部内から下方外部へ流出し得る小孔又は間隙を有するものとすることができる。このような水系液体が閉蓋状態の囲壁状部内から下方外部へ流出し得る小孔又は間隙は、例えば蓋体が閉蓋状態である場合における囲壁状部内の下端部の前端部に有するもの、特に、囲壁状部内の下端部の前端部から囲壁状部の前下方の蓋体裏側に流出するもの、囲壁状部内の下端部の後端部に有し、後下方に流出するもの、又は、囲壁状部内の下端部の側端部に有し、側下方に流出するものとすることができる。
【００６９】
囲壁状部の上端部は、閉塞状とすることができるほか、蓋体を開閉回動支持するためのヒンジ体等のための上下孔部を有するものとすることもできる。
【００７０】
蓋体が閉蓋状態である場合における囲壁状部内の操作部よりも上方位置に、操作部を覆い、囲壁状部内の上方部に浸入した水系液体を受けて前方へ流下する傾斜又は側方へ流下する傾斜を上面側に有する内部庇状部を有するものとすることができる。
【００７１】
また、蓋体が閉蓋状態である場合に、水系液体がその内部庇状部上から蓋体の囲壁状部で囲まれた裏面部又は囲壁状部の内側部を伝って流下するように内部庇状部の周縁部（例えば内部庇状部の前端部若しくは側端部）に小孔又は間隙を有するものとすることができる。蓋体が閉蓋状態である場合における前記内部庇状部の前端部は、例えば、囲壁状部内の蓋体裏側又はその蓋体裏側に結合された部材に接合される等することにより小孔又は間隙を除いて閉塞状をなし、前記小孔又は間隙は、内部庇状部の下側において囲壁状部内の蓋体の囲壁状部で囲まれた裏面部にほぼ接するように開口したものとすることにより、水系液体がその内部庇状部上から前記小孔又は間隙を経て蓋体の囲壁状部で囲まれた裏面部を伝って流下するものとすることができる。
【００７２】
(4) 本発明の装置の例としては、外周部の一部を構成する扉体と、その扉体が閉じた状態を保持し得る閉扉状態保持部を有し、外部から操作するための上記操作部として、前記閉扉状態保持部の閉扉状態保持を解除するための操作を行うための操作部を前記扉体又はその他の外周部に有するものを挙げることができる。
【００７３】
より具体的には、対象物を収容する内部空間である保管部を備えた保管庫本体と、その保管部に前記対象物を出し入れするための開口部を有し、上記扉体が、前記開口部を開閉し得るものを挙げることができる。
【００７４】
扉体は、一般的には、装置の外周部（例えばほぼ垂直状をなす外周部。装置の外形が略直方体形状をなすものである場合は、例えば前面部。）に、垂直状の面（仮想的な面）に沿った十分な面積の開口部を形成するために、その開口部に対応する形状（例えば、その開口部を閉塞し得る略板状）をなし、前記垂直状の面に沿う水平方向の一端部付近に位置する垂直方向の回動軸線のまわりに回動することにより開閉するものとすることができる。
【００７５】
(5) 扉体が閉じた状態を保持し得る閉扉状態保持部を有し、外部から操作するための操作部として、閉扉状態保持部の閉扉状態保持を解除するための操作を行うための操作部を扉体又はその他の外周部に有する装置の例としては、次のようなものが挙げられる。なお、操作部は、閉扉状態保持のための操作も行い得るものであってもよい。
【００７６】
(5-1) 閉扉状態保持部が、
扉体側に設けられた扉体側係合部及び保管庫本体の側に設けられた本体側係合部であって、閉扉状態において両者（扉体側係合部と本体側係合部）が係合している場合は開扉し得ず両者が係合していない場合は開扉し得る係合機構部、
並びに、
その係合機構部における扉体側係合部と本体側係合部の係合及び係合解除の動作（例えば、扉体側係合部と本体側係合部の両方又は一方を変位させて係合又は係合解除するための手動機構部の動作又は電動若しくはその他の自動機構部の動作）を行わせる動作機構部からなり、
動作機構部に対する操作が操作部において行われるものとすることができる。
【００７７】
動作機構部に対する操作を行う操作部の例としては、回動操作が行われるレバー、ノブ若しくは摘み、押圧操作が行われるボタン、その他の把手部等の手動機構部の動作を行わせる手動の操作部、或いは、電動若しくはその他の自動機構部の動作を行わせるためのスイッチ部等の操作部を挙げることができる。
【００７８】
(5-2) 閉扉状態保持部が、前記係合機構部及び動作機構部と、施錠部を有し、
施錠部は、施錠状態と解錠状態を切り換えることができるものであり、
前記施錠状態においては、動作機構部による係合機構部における扉体側係合部と本体側係合部の係合解除を行うことができず、
前記解錠状態においては、動作機構部により係合機構部における扉体側係合部と本体側係合部の係合解除を行って扉体を開くことができ、
施錠部に対する解錠又は施錠のための操作が、動作機構部に対する操作を行う操作部とは別の操作部において行われるもの。
【００７９】
上記施錠部は、例えば、
多数の数字・文字・記号等を表示する複数個のダイヤルにより任意に選択した解錠状態を設定し、閉扉状態でダイヤルを非解錠状態とすることにより施錠し、ダイヤルを解錠状態に合わることにより解錠し得るもの；
閉扉状態において、解錠状態とするための数字等の暗号を電子的に記憶させることにより施錠し、解錠状態とするための暗号を入力することにより解錠し得るもの；
閉扉状態において、電波、赤外線、可視光等による解錠信号を設定することにより施錠し、解錠信号を受信することにより解除し得るもの；
鍵を挿入して回動等の解錠・施錠操作をするための鍵穴
等とすることができるが、これらに限るものではない。
【００８０】
(5-3) 前記係合機構部による扉体が閉じた状態の保持と閉扉保持状態の解除は、それぞれ、前記施錠部による施錠状態と解錠状態の切り換えに連動するものとすることもできる。すなわち、操作部において行われる施錠部による解錠状態から施錠状態への切り換えに、動作機構部による係合機構部における扉体側係合部と本体側係合部の係合が連動し、同じく操作部において行われる施錠部による施錠状態から解錠状態への切り換えに、動作機構部による係合機構部における扉体側係合部と本体側係合部の係合解除が連動するものとすることもできる。
【００８１】
なお、この場合例えば、施錠部による施錠状態から解錠状態への切り換えに係合解除が連動する扉体側係合部と本体側係合部の他に、施錠部が施錠状態であっても解錠状態であっても係合解除が可能な別の扉体側係合部と本体側係合部を有し、施錠部が施錠状態である場合は、当該別の扉体側係合部と本体側係合部の係合を解除しても施錠部に連動する扉体側係合部と本体側係合部が係合状態であるために扉体を開くことができないものとすることもできる。
【符号の説明】
【００８２】
Ａ      保管庫
Ｂ      保管庫本体
Ｄ      扉体
Ｄａ    表側部
Ｅ      係合部
Ｇａ    閉蓋用永久磁石材
Ｇｂ    開蓋用永久磁石材
Ｈ      ヒンジ体
Ｈａ    回動片
Ｈｂ    回動片
Ｈｂ１  湾曲板状アーム部
Ｈｘ    回動軸部
Ｌ      蓋体
Ｌ１    上端板状部
Ｌ２    側板状部
Ｌ３    下端板状部
Ｌａ    囲壁状部
Ｌｂ    蓋板部
Ｌｍ    突条部
Ｌｎ    上側傾斜面
Ｌｐ    横長透孔
Ｌｓ    垂直折曲部
Ｌｗ    下端小孔
Ｍ      操作部
Ｍ１    ダイヤル部
Ｍ２    摘み部
Ｎ      凹部
Ｎ１    凹部上面
Ｎ２    凹部側面
Ｎ３    凹部下面
Ｎａ    凹底部
Ｎｂ    凹部開口部
Ｎｓ    横長間隙部
Ｎｔ    下端開放部
Ｐ      開口部
Ｑ      庇形成部材
Ｑａ    内部庇状部
Ｑｂ    垂直取付板部
Ｑｗ    庇小孔
Ｓ      保管部
Ｖ      配送物
【図１】
2019150407.tif 000003
【図２】
2019150407.tif 000004
【図３】
2019150407.tif 000005
【図４】
2019150407.tif 000006
【図５】
2019150407.tif 000007
【図６】
2019150407.tif 000008
【図７】
2019150407.tif 000009